(57)【要約】【課題】余分な部品を使用せず、安価で高信頼性の密閉型圧縮機を提供する。【解決手段】吐出マフラーまたは吸入マフラーは、ボルトで固定される構造において、マフラー上のボルト１１０の座面１１０ａが接する部分に突起部１１１を設け、突起部１１１には全周にわたり溝部１１２を設けるとともに、溝部１１２に対して突起部１１１の外周部１１３のマフラー面の高さを突起部１１１の内周部１１４の高さより高くすることにより、ボルト締め付け時に突起部の外周部が内周部の高さまでつぶれることで、安価で高信頼性の密閉型圧縮機を提供することができる。【選択図】図２
2013217272.tif 000002
【特許請求の範囲】
【請求項１】
密閉容器内に収納される圧縮要素と電動要素からなり、前記圧縮要素には金属製の吐出マフラーまたは吸入マフラーを備え、前記吐出マフラーまたは前記吸入マフラーは、ボルトで固定される構造において、前記吐出マフラーまたは吸入マフラーと前記ボルトの座面が接する部分に突起部を設け、前記突起部には全周にわたり溝部を設けるとともに、前記溝部に対して前記突起部の外周部の前記マフラー面からの高さを前記突起部の内周部の高さより高くした密閉型圧縮機。
【請求項２】
前記外周部の端面形状をＲとした請求項１に記載の密閉型圧縮機。
【請求項３】
前記ボルトの前記座面が、前記外周部よりも大きくした請求項２に記載の密閉型圧縮機。
【発明の詳細な説明】
【技術分野】
【０００１】
本発明は冷蔵庫等の冷凍装置に用いられる密閉型圧縮機に関するものである。
【背景技術】
【０００２】
従来、この種の密閉型圧縮機は、特許文献１に示すようなものがある。
【０００３】
以下、図面を参照しながら上記従来の密閉型圧縮機を説明する。
【０００４】
図６は、従来の密閉型電動圧縮機の横断面図であり、図７は、マフラーの要部断面拡大図である。
【０００５】
図６、図７において、１は密閉容器で、電動要素と圧縮要素２が内装されている。３は圧縮要素２を構成するブロック、４はブロック３に収納されたクランク、５はクランク４に挿着されたコンロッド、６はコンロッド５に挿着されたピストン、７はブロック４を構成するシリンダー部でピストン６を収納している。８はシリンダー部７にヘッドボルト９で固定されたヘッド部、１０はブロック３に一体成形されたマフラー部、１１はマフラー空間１２を形成するためにマフラー部１０にシール用の銅ワッシャー１８とボルト１３で固定されたマフラーカバーである。
【０００６】
また、１４は吐出管、１５は吐出管１４に配置された吐出管マフラー、１６はマフラーカバー１１と吐出管マフラー１５をつなぐパイプで、１７はヘッド部８とマフラー部１０とをつなぐブロック３に空けられたパス孔である。
【０００７】
上記構成によれば、ピストン６で圧縮された高圧ガスは、まずヘッド部８内に開放され、パス孔１７を通り、マフラー空間１２に入り、パイプ１６を通り、吐出管マフラー１５、吐出管１４をへて密閉容器１の外に導かれる。
【先行技術文献】
【特許文献】
【０００８】
【特許文献１】特開平６−２９４３８０号公報
【発明の概要】
【発明が解決しようとする課題】
【０００９】
しかしながら、前記従来の構成では、マフラーカバー１１とボルト１３の隙間をシールするために、銅ワッシャー１８が必要で、コストがかかるという課題を有していた。
【００１０】
本発明は、前記従来の課題を解決するもので、安価な密閉型圧縮機を提供することを目的とする。
【課題を解決するための手段】
【００１１】
前記従来の課題を解決するために、本発明の密閉型圧縮機は、吐出マフラーまたは吸入マフラーとボルトの座面が接する部分に突起部を設け、突起部には全周にわたり溝部を設けるとともに、溝部に対して突起部の外周部のマフラー面の高さを突起部の内周部の高さより高くすることにより、シールのための別部材を必要としないという作用を有する。
【発明の効果】
【００１２】
本発明の密閉型圧縮機は、吐出マフラーまたは吸入マフラーとボルトの座面が接する部
分に突起部を設け、突起部には全周にわたり溝部を設けるとともに、溝部に対して突起部の外周部のマフラー面の高さを突起部の内周部の高さより高くする。これにより、ボルト締め付け時に突起部の外周部が内周部の高さまでつぶれることで、別部材を使わずにボルトの座面と外周部及び内周部の両方確実にシールできることとなり、安価な密閉型圧縮機を提供することができる。さらに、ボルト締め付け時に金属粉等が発生した場合においても、金属粉が溝部に堆積し、マフラー空間には侵入する可能性を低減でき、信頼性の高い密閉型圧縮機を提供することができる。
【図面の簡単な説明】
【００１３】
【図１】本発明の実施の形態１における密閉型圧縮機の縦断面図
【図２】本発明の実施の形態１におけるボルト締め付け前のマフラーの要部断面拡大図
【図３】本発明の実施の形態１におけるボルト締め付け後のマフラーの要部断面拡大図
【図４】本発明の実施の形態１におけるマフラーカバーの平面図
【図５】本発明の実施の形態１におけるボルト締め付け前のマフラーカバーの断面拡大図
【図６】従来の密閉型圧縮機の横断面図
【図７】従来の密閉型圧縮機のマフラーの要部断面拡大図
【発明を実施するための形態】
【００１４】
請求項１に記載の発明は、密閉容器内に収納される圧縮要素と電動要素からなり、圧縮要素には金属製の吐出マフラーまたは吸入マフラーを備え、吐出マフラーまたは吸入マフラーはボルトで固定される構造において、吐出マフラーまたは吸入マフラーとボルトの座面が接する部分に突起部を設け、突起部には全周にわたり溝部を設けるとともに、溝部に対して突起部の外周部のマフラー面の高さを突起部の内周部の高さより高くする。これにより、別部材によるシールが不要で安価な密閉型圧縮機を提供することができる。さらには、ボルト締め付け時に金属粉等が発生した場合においても、金属粉が溝部に堆積し、マフラー空間に侵入する可能性を低減でき、信頼性の高い密閉型圧縮機を提供することができる。
【００１５】
請求項２に記載の発明は、請求項１に記載の発明において、突起部の外周部の端面形状をＲとすることにより、ボルト締め付け時に確実に突起部の外周部をつぶすことが可能となり、より確実なシール性を有する密閉型圧縮機を提供することができる。
【００１６】
請求項３に記載の発明は、請求項２に記載の発明において、ボルトの座面が突起部の外周部よりも大きくしたことにより、より一層確実なシール性が可能となり、より一層信頼性の高い密閉型圧縮機を提供することができる。
【００１７】
以下、本発明の実施の形態について、図面を参照しながら説明する。なお、この実施の形態によってこの発明が限定されるものではない。
【００１８】
（実施の形態１）
図１は、本発明の実施の形態１における密閉型圧縮機の縦断面図、図２は、本発明の実施の形態１におけるボルト締め付け前のマフラーの要部断面拡大図、図３は、本発明の実施の形態１におけるボルト締め付け後のマフラーの要部断面拡大図、図４は、本発明の実施の形態１におけるマフラーカバーの平面図、図５は、本発明の実施の形態１におけるボルト締め付け前のマフラーカバーの断面拡大図である。
【００１９】
図１から図５において、１０１は密閉容器で、電動要素と圧縮要素１０２が内装されて
いる。１０３は圧縮要素１０２を構成するブロック、１０４はブロック１０３に収納されたクランク、１０５はブロック１０３にヘッドボルト１０６で固定されたヘッド部、１０７はブロック１０３に一体成形されたマフラー部である。図５に示すように、ボルト締め付け前において、１０８はマフラー空間１０９を形成するためにマフラー部１０７に座面１１０ａを有するボルト１１０が貫通穴１０８ａを貫通しブロック１０３に固定されたマフラーカバーである。１１１はマフラーカバー１０８に設けた突起部、１１２は突起部１１１に全周にわたり設けられた溝部、１１３は溝部１１２に対して外側に設置された外周部、１１４は溝部１１２に対して内側に設置されたマフラー面からの高さを外周部の高さより低く形成した内周部である。また、１１５は吐出管である。
【００２０】
以上のように構成された密閉型圧縮機について、以下その動作、作用を説明する。
【００２１】
密閉型圧縮機運転時において、ピストン（図示せず）により圧縮された高圧ガスはヘッド部１０５内に開放された後、マフラー空間１０９内へ導かれ、吐出管１１５を介して密閉容器１０１の外へと導かれる。
【００２２】
ここで、マフラー空間１０９内は高圧となるが、マフラーカバー１０８をブロック１０３に貫通穴１０８ａを貫通してボルト１１０で固定する際に、突起部１１１の外周部１１３の端部が、ボルト１１０の座面１１０ａにより突起部１１１の内周部１１４の高さまで略平面状につぶれることで、座面１１０ａと外周部１１３と内周部１１４との両方が当接する。これにより、貫通穴１０８ａと座面１１０ａの隙間の確実なシールができ、シールのための別部品が必要ではない。すなわち、ボルト１１０を締め付け後、外周部１１３が潰れて低くなり、外周部１１３と内周部１１４との高さが略同一となり、外周部１１３と内周部１１４の両方でシールが可能となる。
【００２３】
さらに、ボルト１１０締め付け時に金属粉等が発生した場合においても、金属粉が溝部１１２に堆積し、マフラー空間１０９には侵入する可能性を低減できる。
【００２４】
この作用により、安価で高信頼性の密閉型圧縮機を提供することができる。
【００２５】
さらに、突起部１１１の外周部１１３の端面形状をＲとすることで、ボルト１１０締め付け時に確実に突起部１１１の外周部１１３をつぶすことが可能となり、より確実なシールが可能となる。
【００２６】
さらに、ボルト１１０の座面１１０ａが突起部１１１の外周部１１３よりも大きくしたことにより、より一層確実なシール性が可能となることから、より一層信頼性の高い密閉型圧縮機を提供することができる。
【産業上の利用可能性】
【００２７】
以上のように本発明にかかる密閉型圧縮機は、余分な部品を削減でき、安価で高信頼性の密閉型圧縮機を提供することができるので、エアコン、自販機、冷凍ショーケース、除湿機などの用途にも適用できる。
【符号の説明】
【００２８】
１０１  密閉容器
１０２  圧縮要素
１０８  マフラーカバー
１１０  ボルト
１１０ａ  座面
１１１  突起部
１１２  溝部
１１３  外周部
１１４  内周部
【図１】
2013217272.tif 000003
【図６】
2013217272.tif 000004
【図７】
2013217272.tif 000005
【図２】
2013217272.tif 000006
【図３】
2013217272.tif 000007
【図４】
2013217272.tif 000008
【図５】
2013217272.tif 000009